(57)【要約】  移動局（１００）が複数の基地局（２００）間でソフト・ハンドオーバを実施するときに、移動局（１００）は、各基地局（２００）から送信電力制御コマンドを受信する。移動局（１００）は、受信された各送信電力制御コマンドの振幅を信頼性しきい値に対して測定することによって各電力制御コマンドの信頼性を決定し、電力制御コマンドを組み合わせて、移動局（１００）の送信電力をどのように調節するかを決定する。信頼性しきい値は、基地局（２００）の数、あるいは、ある期間にわたって受信された「ｕｐ」および／または「ｄｏｗｎ」コマンドの数、あるいは、受信された信号の測定された特性の関数に依存する。等価には、しきい値を変動させる代わりに電力制御コマンドの振幅をスケールしてもよく、その場合、スケール係数は、基地局（２００）の数、あるいは、ある期間に受信された「ｕｐ」および／または「ｄｏｗｎ」コマンドの数、あるいは、受信された信号の測定された特性の関数に依存する。信頼性しきい値またはスケール係数は、異なる各基地局（２００）からのコマンドに対して異なっていてもよい。
2007520908.tif 000002
【特許請求の範囲】
【請求項１】
複数の基地局を含む無線通信システムで使用される移動局であって、送信機手段と、送信電力制御コマンドを含む信号を前記複数の基地局から受信するための受信機手段と、前記受信された送信電力制御コマンドの振幅を信頼性しきい値と比較するように適応され、前記比較に応答して前記送信機手段の送信電力を変動させるように適応された制御手段とを備え、前記制御手段はさらに、
前記移動局が受信する送信電力制御コマンドの送信元である基地局の数と、
前の期間で受信された、送信電力を増大および／または減少させるためのコマンドの数と、
前記移動局によって受信された信号の測定された特性と、
のうちの１つまたは複数に応じて前記信頼性しきい値を変動させるように適応された、移動局。
【請求項２】
前記移動局によって受信された信号の前記測定された特性は、前記受信された送信電力コマンドの測定された特性である、請求項１に記載の移動局。
【請求項３】
前記制御手段は、異なる前記基地局から受信された前記送信電力制御コマンドに、異なる信頼性しきい値を適用するように適応された、請求項１または２に記載の移動局。
【請求項４】
複数の基地局と少なくとも１つの移動局とを含む無線通信システムであって、各基地局は、前記移動局から信号を受信するための受信機手段と、送信電力制御コマンドを含む信号を前記移動局に送信するための送信機手段とを有し、前記移動局は、送信機手段と、送信電力制御コマンドを含む信号を前記複数の基地局から受信するための受信機手段と、前記受信された送信電力制御コマンドの振幅を信頼性しきい値と比較するように適応され、前記比較に応答して前記送信機手段の送信電力を変動させるように適応された制御手段とを有し、前記制御手段はさらに、
前記移動局が受信する送信電力制御コマンドの送信元である基地局の数と、
前の期間で受信された、送信電力を増大および／または減少させるためのコマンドの数と、
前記移動局によって受信された信号の測定された特性と、
のうちの１つまたは複数に応じて前記信頼性しきい値を変動させるように適応された、無線通信システム。
【請求項５】
前記制御手段は、異なる前記基地局から受信された前記送信電力制御コマンドに、異なる信頼性しきい値を適用するように適応された、請求項４に記載の無線通信システム。
【請求項６】
無線通信システムを操作する方法であって、
移動局から信号を送信することと、
前記信号を複数の基地局で受信することと、
各基地局で、前記信号の受信に応答して、送信電力制御コマンドを導出し、前記送信電力制御コマンドを含む信号を送信することと、
前記移動局で、前記複数の基地局から前記送信電力制御コマンドを受信し、前記受信された送信電力制御コマンドの振幅を信頼性しきい値と比較し、前記比較に応答して移動局送信機の送信電力を調節することとを含み、前記調節することはさらに、
前記移動局が受信する送信電力制御コマンドの送信元である基地局の数と、
前の期間で受信された、送信電力を増大および／または減少させるためのコマンドの数と、
前記移動局によって受信された前記信号の測定された特性と、
のうちの１つまたは複数に応じて前記信頼性しきい値を導出することを含む、方法。
【請求項７】
異なる前記基地局から受信された前記送信電力制御コマンドに、異なる信頼性しきい値を適用することを含む、請求項６に記載の方法。
【請求項８】
複数の基地局を含む無線通信システムで使用される移動局であって、送信機手段と、送信電力制御コマンドを含む信号を前記複数の基地局から受信するための受信機手段と、前記受信された送信電力制御コマンドの振幅を信頼性しきい値と比較するように適応され、前記比較に応答して前記送信機手段の送信電力を変動させるように適応された制御手段とを備え、前記制御手段はさらに、前記受信された送信電力制御コマンドの前記振幅を、測定前にスケール係数でスケールするように適応され、前記制御手段はさらに、
前記移動局が受信する送信電力制御コマンドの送信元である基地局の数と、
前の期間で受信された、送信電力を増大および／または減少させるためのコマンドの数と、
前記移動局によって受信された前記信号の測定された特性と、
のうちの１つまたは複数に応じて前記スケール係数を変動させるように適応された、移動局。
【請求項９】
前記移動局によって受信された信号の前記測定された特性は、前記受信された送信電力コマンドの測定された特性である、請求項８に記載の移動局。
【請求項１０】
前記制御手段は、異なる前記基地局から受信された前記送信電力制御コマンドに、異なる信頼性しきい値を適用するように適応された、請求項８または９に記載の移動局。
【請求項１１】
複数の基地局と少なくとも１つの移動局とを含む無線通信システムであって、各基地局は、前記移動局から信号を受信するための受信機手段と、送信電力制御コマンドを含む信号を前記移動局に送信するための送信機手段とを有し、前記移動局は、送信機手段と、送信電力制御コマンドを含む信号を前記複数の基地局から受信するための受信機手段と、前記受信された送信電力制御コマンドの振幅を信頼性しきい値と比較するように適応され、前記比較に応答して前記送信機手段の送信電力を変動させるように適応された制御手段とを有し、前記制御手段はさらに、前記受信された送信電力制御コマンドの前記振幅を、測定前にスケール係数でスケールするように適応され、前記制御手段はさらに、
前記移動局が受信する送信電力制御コマンドの送信元である基地局の数と、
前の期間で受信された、送信電力を増大および／または減少させるためのコマンドの数と、
前記移動局によって受信された前記信号の測定された特性と、
のうちの１つまたは複数に応じて前記スケール係数を変動させるように適応された、無線通信システム。
【請求項１２】
前記制御手段は、異なる前記基地局から受信された前記送信電力制御コマンドに、異なる信頼性しきい値を適用するように適応された、請求項１１に記載の無線通信システム。
【請求項１３】
無線通信システムを操作する方法であって、
移動局から信号を送信することと、
前記信号を複数の基地局で受信することと、
各基地局で、前記信号の受信に応答して、送信電力制御コマンドを導出し、前記送信電力制御コマンドを含む信号を送信することと、
前記移動局で、前記複数の基地局から前記送信電力制御コマンドを受信し、前記受信された送信電力制御コマンドをスケール係数でスケールし、前記受信されたスケール済み送信電力制御コマンドの振幅を信頼性しきい値と比較し、前記比較に応答して前記移動局の送信機の送信電力を調節することとを含み、前記調節することはさらに、
前記移動局が受信する送信電力制御コマンドの送信元である基地局の数と、
前の期間で受信された、送信電力を増大および／または減少させるためのコマンドの数と、
前記移動局によって受信された前記信号の測定された特性と、
のうちの１つまたは複数に応じて、前記スケール係数を導出することをさらに含む、方法。
【請求項１４】
異なる前記基地局から受信された前記送信電力制御コマンドに、異なる信頼性しきい値を適用することを含む、請求項１３に記載の方法。
【発明の詳細な説明】
【技術分野】
【０００１】
本発明は、無線通信システム、無線通信システムを操作する方法、無線通信システムで使用される移動局に関する。本明細書では特にユニバーサル・モバイル・テレコミュニケーション・システム（ＵＭＴＳ―Universal Mobile Telecommunication System―）に関してシステムを述べるが、本発明は他の移動無線システムにも適用可能である。
【背景技術】
【０００２】
現況技術は、ｈｔｔｐ：／／３ｇｐｐ．ｏｒｇで入手可能な、ＵＭＴＳに関する第３世代パートナーシップ・プロジェクト（３ＧＰＰ―３rd Generation Partnership Project―）仕様書に記述されている。
【０００３】
移動局（ＵＭＴＳ仕様書ではユーザ機器（ＵＥ―User Equipment―）と呼ばれる）がソフト・ハンドオーバにあるとき、移動局は、それが接続されている基地局（ＵＭＴＳ仕様書ではノードＢと呼ばれる）のそれぞれから送信電力制御（ＴＰＣ―Transmit Power Control―）コマンドを受信する。移動局が接続されている基地局は、移動局のアクティブ・セットと呼ばれている。各基地局は、移動局からの受信された信号対干渉比（ＳＩＲ―Signal to Interference Ratio―）がターゲット・レベルよりも高いか低いかに従って、各移動局に対する送信電力制御（ＴＰＣ）コマンドを生成する。すなわち、受信されたＳＩＲがターゲットよりも高い場合は、移動局にその送信電力を減少させるよう命じる「ｄｏｗｎ」コマンドが移動局に送信され、受信されたＳＩＲがターゲットよりも低い場合は、移動局にその送信電力を増大させるよう命じる「ｕｐ」コマンドが移動局に送信される。したがって、各タイムスロットで、ソフト・ハンドオーバにある移動局は、アクティブ・セット中の異なる複数の基地局から様々な「ｕｐ」および「ｄｏｗｎ」コマンドを受信することがある。各タイムスロットで、次いで移動局は、これらのコマンドを組み合わせて、その送信電力を減少させるか増大させるかの判定を行う。
【０００４】
図２には、各タイムスロットにおけるこの組合せプロセスのための主要な指定要件の流れ図が示されている。ステップ１０で、移動局は、各基地局から電力制御コマンドを受信し、各コマンドの信頼性を評価する。信頼性の定義はＵＭＴＳ仕様書には提供されていない。移動局を操作する方法の１つは、各ＴＰＣコマンドを構成する１つまたは複数の受信ビットのソフト値から、各ＴＰＣコマンドの振幅を導出することである。受信された各ＴＰＣコマンドの振幅は、次いで所定のしきい値と比較され、振幅の大きさがしきい値よりも大きいＴＰＣコマンドは、信頼できると考えられる。「ｕｐ」コマンドと「ｄｏｗｎ」コマンドに対する信頼性しきい値は、必ずしも同じとは限らないし；操作方法の１つは、「ｄｏｗｎとして信頼できる」ものでないすべてのコマンドを「ｕｐとして信頼できる」と考えられることに留意されたい。図２のステップ２０で、移動局は、現タイムスロットで受信されたＴＰＣコマンドのいずれかが「ｄｏｗｎ」として信頼できるかどうか判定する。答がイエス（Ｙ）の場合は、ステップ３０で、移動局はその送信電力を減少させる。答がノー（Ｎ）の場合は、流れはステップ４０に進み、移動局は、現タイムスロットで受信されたすべてのＴＰＣコマンドが「ｕｐ」として信頼できるかどうか判定する。答がイエス（Ｙ）の場合は、ステップ５０で、移動局はその送信電力を増大させる。答えがノー（Ｎ）の場合は、ステップ６０で、移動局は、その電力を増大または減少させる所定の確率に見合うように、その送信電力を減少または増大させることができる。
【発明の開示】
【発明が解決しようとする課題】
【０００５】
本発明の一目的は、ソフト・ハンドオーバ中に、改善された電力制御を提供することである。
【課題を解決するための手段】
【０００６】
本発明の第１の態様によれば、複数の基地局を含む無線通信システムで使用される移動局が提供され、移動局は、送信機手段と、送信電力制御コマンドを含む信号を複数の基地局から受信するための受信機手段と、受信された送信電力制御コマンドの振幅を信頼性しきい値と比較するように適応され、比較に応答して送信機手段の送信電力を変動させるように適応された制御手段とを備え、制御手段はさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、信頼性しきい値を変動させるように適応されている。
【０００７】
本発明の第２の態様によれば、複数の基地局と少なくとも１つの移動局とを含む無線通信システムが提供され、各基地局は、移動局から信号を受信するための受信機手段と、送信電力制御コマンドを含む信号を移動局に送信するための送信機手段とを有しており、移動局は、送信機手段と、送信電力制御コマンドを含む信号を複数の基地局から受信するための受信機手段と、受信された送信電力制御コマンドの振幅を信頼性しきい値と比較するように適応され、比較に応答して送信機手段の送信電力を変動させるように適応された制御手段とを有し、制御手段はさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、信頼性しきい値を変動させるように適応されている。
【０００８】
本発明の第３の態様によれば、無線通信システムを操作する方法が提供され、この方法は、
移動局から信号を送信することと、
この信号を複数の基地局で受信することと、
各基地局で、信号の受信に応答して、送信電力制御コマンドを導出し、送信電力制御コマンドを含む信号を送信することと、
移動局で、複数の基地局から送信電力制御コマンドを受信し、受信された送信電力制御コマンドの振幅を信頼性しきい値と比較し、比較に応答して移動局の送信機の送信電力を調節することとを含み、調節することはさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、信頼性しきい値を導出することを含む。
【０００９】
本発明の第４の態様によれば、複数の基地局を含む無線通信システムで使用される移動局が提供され、移動局は、送信機手段と、送信電力制御コマンドを含む信号を複数の基地局から受信するための受信機手段と、受信された送信電力制御コマンドの振幅を信頼性しきい値と比較するように適応され、比較に応答して送信機手段の送信電力を変動させるように適応された制御手段とを備え、制御手段はさらに、受信された送信電力制御コマンドの振幅を、測定前にスケール係数でスケールするように適応され、制御手段はさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、スケール係数を変動させるように適応されている。
【００１０】
本発明の第５の態様によれば、複数の基地局と少なくとも１つの移動局とを含む無線通信システムが提供され、各基地局は、移動局から信号を受信するための受信機手段と、送信電力制御コマンドを含む信号を移動局に送信するための送信機手段とを有しており、移動局は、送信機手段と、送信電力制御コマンドを含む信号を複数の基地局から受信するための受信機手段と、受信された送信電力制御コマンドの振幅を信頼性しきい値と比較するように適応され、比較に応答して送信機手段の送信電力を変動させるように適応された制御手段とを有し、制御手段はさらに、受信された送信電力制御コマンドの振幅を、測定前にスケール係数でスケールするように適応され、制御手段はさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、スケール係数を変動させるように適応されている。
【００１１】
本発明の第６の態様によれば、無線通信システムを操作する方法が提供され、この方法は、
移動局から信号を送信することと、
この信号を複数の基地局で受信することと、
各基地局で、信号の受信に応答して、送信電力制御コマンドを導出し、送信電力制御コマンドを含む信号を送信することと、
移動局で、複数の基地局から送信電力制御コマンドを受信し、受信された送信電力制御コマンドをスケール係数でスケールし、受信されたスケール済み送信電力制御コマンドの振幅を信頼性しきい値と比較し、比較に応答して移動局の送信機の送信電力を調節することとを含み、調節することはさらに、
移動局が受信する送信電力制御コマンドの送信元である基地局の数と、
前の期間で受信された、送信電力を増大および／または減少させるためのコマンドの数と、
移動局によって受信された信号の測定された特性とのうちの１つまたは複数に応じて、スケール係数を導出することをさらに含む。
【００１２】
本発明は、しきい値の所定の位置が、または、等価には所定のスケール係数が、すべての条件に適するわけではないという認識、および、信頼性しきい値の最適な位置、または最適なスケール係数が、アクティブ・セット中の基地局の数と、前に「ｕｐ」および「ｄｏｗｎ」として復号されたコマンドの割合と、受信されたＴＰＣコマンドの受信信号品質（例えばＳＩＲや平均ＳＩＲ）とのうちの１つまたは複数に依存するという認識に基づくものである。
【００１３】
本発明の第４、５および６の態様は、所定のしきい値に関連する適応可能にスケールされた信号が、適応可能なしきい値に関連する、スケールされていない信号、または、所定のスケール係数でスケールされた信号と、等価な可能性があるという認識に基づくものである。さらに、適応可能にスケールされた信号と適応可能なしきい値との組合せが、等価な結果を生む可能性もある。
【００１４】
信頼性しきい値の大きさが、または等価にはスケール係数が、移動局が受信する電力制御信号の送信元である基地局の数に応じて適応可能な場合は、アクティブ・セット中の基地局の数がより多ければ、信頼性しきい値の大きさは増大することができ、あるいはスケール係数は減少することができ（したがってより多くのコマンドを「信頼できない」ものにする）、アクティブ・セット中の基地局の数がより少なければ、信頼性しきい値の大きさは減少することができ、あるいはスケール係数は増大することができる（したがってより多くのコマンドを「信頼できる」ものにする）。
【００１５】
信頼性しきい値の大きさが、または等価にはスケール係数が、前の期間に受信された、送信電力を増大および／または減少させるためのコマンドの数に応じて適応可能な場合には、より多くのコマンドが「ｕｐ」（送信電力の増大）として復号されれば、信頼性しきい値の大きさは減少することができ、あるいはスケール係数は増大することができ（したがってより多くのコマンドを「信頼できる」ものにする）、より多くのコマンドが「ｄｏｗｎ」（送信電力の減少）として復号されれば、信頼性しきい値の大きさは増大することができ、あるいはスケール係数は減少することができる（したがってより多くのコマンドを「信頼できない」ものにする）。
【００１６】
信頼性しきい値の大きさが、または等価にはスケール係数が、ＳＩＲなど受信信号の測定された特性に応じて適応可能な場合は、受信されたＳＩＲの値がより低ければ、信頼性しきい値の大きさは減少することができ、あるいは、スケール係数は増大することができ（したがって、より多くのコマンドを「信頼できない」ものにする）、受信されたＳＩＲの値がより高ければ、信頼性しきい値の大きさは増大することができ、あるいはスケール係数は減少することができる（したがって、より多くのコマンドを「信頼できる」ものにする）。
【００１７】
移動局により受信された信号の測定された特性は、例えば、信号振幅、信号対雑音比、または信号対干渉比であってもよい。
【００１８】
移動局によって受信された、その特性が測定される信号は、送信電力制御コマンドを含んでよく、あるいはデータ・ビットやパイロット信号など別の信号を含んでよい。
【００１９】
本発明の一実施形態では、ＴＰＣビットは、付随するデータ・ビットよりも高い電力レベルで送信されることがあるが、データ・ビットとＴＰＣビットとの間の電力オフセットは移動局にはわからない。この場合、信頼性しきい値の大きさは、ＴＰＣまたはパイロット・ビットではなくデータ・ビットの受信振幅に対して相対的に設定されてよい。これにより、ＳＩＲが良いときは、信頼性しきい値がＴＰＣビットの予想受信振幅よりも大きくないことが確実になり、したがって、移動局がデータ・ビットとＴＰＣビットとの間の電力オフセットの値を知らないときにすべてのＴＰＣコマンドが信頼できないものと考えられることがあるという問題が解決される。
【００２０】
本発明により決定される信頼性しきい値は、異なるタイムスロットで、アクティブ・セット中の異なる基地局に対して、異なる値を採用することができる。
【００２１】
次に、添付の図面を参照しながら、本発明を単なる例として述べる。
【発明を実施するための最良の形態】
【００２２】
図１を参照すると、移動局１００と、固定ネットワーク４００で結合された２つの基地局２００と、を含む無線通信システム５００が示されている。移動局１００は、例えば、携帯電話機やワイヤレスのパーソナル・ディジタル・アシスタント（ＰＤＡ―Personal Digital Assistant―）、または、その他いずれかのタイプのワイヤレス装備された電子デバイスであってもよい。無線システム５００は、複数の移動局１００と、少なくとも２つの基地局２００とを含んでいてもよい。移動局１００は、送信機手段１１０と、受信機手段１２０とを備える。送信機手段１１０の出力、および受信機手段１２０の入力は、結合手段１４０によってアンテナ１３０に結合され、結合手段１４０は、例えばサーキュレータや切換スイッチであってもよい。送信機手段１１０および受信機手段１２０には、制御手段１５０が結合され、制御手段１５０は例えばプロセッサであってもよい。各基地局２００は、送信機手段２１０および受信機手段２２０を備える。送信機手段２１０の出力および受信機手段２２０の入力は、結合手段２４０によってアンテナ２３０に結合され、結合手段２４０は例えばサーキュレータやダイプレクサであってもよい。送信機手段２１０および受信機手段２２０には、制御手段２５０が結合され、制御手段２５０は例えばプロセッサであってもよい。制御手段２５０は、受信機手段２２０によって受信されたメッセージを処理し、送信機手段２１０によって送信されるメッセージを決定する。制御手段２５０は、固定ネットワーク４００に結合される。移動局１００から各基地局２００への送信は、アップリンク周波数チャネル１６０上で行なわれ、基地局２００から移動局１００への送信は、ダウンリンク周波数チャネル２６０上で行なわれる。後続の記述では、伝送はスペクトル拡散技法を使用するものと仮定され、したがって、信号は拡散符号を使用して拡散され、データ信号と制御信号とは、異なる拡散符号で同時に伝送されていてもよい。しかしながら、このような仮定は本発明に必須ではない。
【００２３】
動作時、移動局１００がソフト・ハンドオーバにあるときは、移動局１００は複数の基地局２００と通信することができる。移動局１００が通信することのできる基地局２００のセットは、アクティブ・セットと呼ばれる。移動局１００は、その制御手段１５０から送信機手段１１０を介して、基地局２００のアクティブ・セットに制御信号を送信する。各基地局２００は、その受信機手段２２０を介して制御信号を受信する。各基地局で、制御手段２５０は、受信された制御信号の信号対干渉比（ＳＩＲ）がターゲット・レベルよりも高いか低いかを判定して、ＴＰＣコマンドを発行し、このＴＰＣコマンドは、基地局の送信機手段２２０によって移動局１００に送信される。受信されたＳＩＲがターゲットよりも高い場合は「ｄｏｗｎ」コマンドが送信され、受信されたＳＩＲがターゲットよりも低い場合は「ｕｐ」コマンドが送信される。したがって、各タイムスロットで、ソフト・ハンドオーバにある移動局１００は、アクティブ・セット中の異なる複数の基地局２００から、受信機手段１１０を介して様々な「ｕｐ」および「ｄｏｗｎ」コマンドを受信することがある。各タイムスロットで、次いで移動局１００の制御手段１５０は、これらのコマンドを組み合わせて、アップリンク送信電力を増大させるか減少させるかの判定を行ない、次いで制御信号を生成する。この制御信号を送信機手段１１０が使用して、送信電力を判定に従って調節する。
【００２４】
判定を行うために、受信された各ＴＰＣコマンドの信頼性が考慮される。すなわち、制御手段１５０は、各ＴＰＣコマンドの振幅を測定するための測定手段１５５を備え、測定手段１５５はこの場合、信頼性しきい値と比較する。振幅の大きさがしきい値よりも大きいＴＰＣコマンドは、信頼できると考えられ、他のＴＰＣコマンドは、信頼できないと考えられる。
【００２５】
制御手段１５０は、受信された信号の測定値に応答して、信頼性しきい値を調節する。信頼性しきい値を調節するために、制御手段１５０は、移動局１００が受信する送信電力制御コマンドの送信元である基地局２００の数を数えるか、あるいは、ある期間中に「ｕｐ」、および／または、「ｄｏｗｎ」として復号された送信電力制御コマンドの数を数えるか、あるいは、移動局によって受信された信号の特性を測定することができる。測定されるこのような特性は、例えば、信号振幅、信号対雑音比、または信号対干渉比であってもよい。
【００２６】
ＳＩＲが相対的に高い条件、またはアクティブ・セット中の基地局の数が少ない条件では、最適な信頼性しきい値の位置はＴＰＣコマンドの予想受信振幅に対して相対的に低くなり、例えば０．２５である。この結果、ほとんどのＴＰＣコマンドは信頼できると考えられる。
【００２７】
いくつかの実施形態においては、移動局がその送信電力を減少させるタイムスロットの割合が、ある範囲内、例えば０．５と０．７５の間であることを確実にするのが有利なことがある。このような実施形態では、移動局は、前の所定期間中の下方（または上方）への電力変更の割合を導出し、下方または上方への電力変更の割合を必要範囲内に維持するように信頼性しきい値を調節することができる。
【００２８】
ＳＩＲが相対的に悪い条件、または、より多くの基地局がアクティブ・セット中にある条件では、現スロット中のＴＰＣコマンドの１つが「ｄｏｗｎ」として信頼できる場合に移動局がその送信電力を減少させる図２に示した要件から生じる不安定性を回避するために、より高い信頼性しきい値の位置、例えば０．７が必要である。特に、アクティブ・セット中のすべての基地局２００における受信アップリンクＳＩＲがそれらのＳＩＲターゲットよりも低く、それによりアクティブ・セット中のすべての基地局２００が「ｕｐ」コマンドを送信する場合は、ＴＰＣコマンドのＳＩＲが低いせいで、少なくとも１つの「ｕｐ」コマンドが移動局によって誤って「ｄｏｗｎ」として信頼できるコマンドとして受信される確率が高くなり、これは特に信頼性しきい値の大きさが小さい場合はそうである。そのため、アクティブ・セット中のすべての基地局２００が電力増大を要求しているにもかかわらず、移動局１００の送信機手段１１０は、そのアップリンク送信電力を減少させ続けることになる。これを図３、４、および５に示すが、これらの図は、アクティブ・セット中の３つの基地局２００の間における選択合成後の受信アップリンクＥｂ／Ｎ０（ビット当りのエネルギー／雑音密度）を示しており、静的な信頼性しきい値は０．２５であり、電力制御誤り率（ＰＣＥＲ―Power Control Error Ratio―）は、それぞれ０．２、０．２５、および０．３である。ＰＣＥＲは、ＴＰＣコマンドのＳＩＲの尺度であり、ハード判定が０のしきい値に対して採用される場合に「ｄｏｗｎ」が送信されたときに「ｕｐ」として受信されたＴＰＣコマンドの割合、およびその逆の場合の割合として定義される。典型的なＰＣＥＲは４〜１０％の範囲にあると一般に考えられるが、この範囲は、ソフト・ハンドオーバにおけるいくつかの状況では３０％にもなり得る。
【００２９】
ＰＣＥＲの値がより高い場合、移動局１００の送信電力は極端に急落することに留意されたい（しかし実際は、フェードの深度は、移動局の送信機１２０の送信電力のダイナミック・レンジによって制限されることになる）。
【００３０】
この挙動は非常に望ましくない。というのは、アップリンク送信電力が減少するので移動局１００と基地局２００との間の接続がドロップされることになり、この可能性は、アクティブ・セット中にある基地局２００が多いほど高くなるからである。
【００３１】
図７および８に、ＳＩＲが相対的に悪い条件で、より高い０．７の信頼性しきい値を使用する結果としてもたらされる改善を示すが、これらの図では、受信ＳＩＲの変動性が、図４および５にそれぞれ示した変動性に対して、ずっと低減されることがわかる。
【００３２】
性能はまた、アクティブ・セット中により多くの基地局があるときにより高い信頼性しきい値を使用することによって改善することもでき、これにより、アクティブ・セット中のすべてのノードＢが「ｕｐ」コマンドを送信したときにスロット中の１つのＴＰＣコマンドが「ｄｏｗｎ」として信頼できるものとして復号される可能性は、より低くなる。
【００３３】
単一の静的な信頼性しきい値では、すべての条件で良い性能を提供することはできず、したがって本発明によれば、信頼性しきい値は、制御手段１５０により、アクティブ・セット中の基地局の数と、前に「ｕｐ」または「ｄｏｗｎ」として復号されたコマンドの割合と、受信されたＴＰＣコマンドのＳＩＲとのうちの１つまたは複数に応じて適応されている。受信されたＴＰＣコマンドのＳＩＲが、信頼性しきい値の適応で使用される場合、ＳＩＲは測定手段１５５によって測定される。
【００３４】
現況技術のさらにもう１つの問題は、ＵＭＴＳ仕様書のいくつかのリリースでは、ダウンリンク・パイロット・ビットの電力に対して、どんな送信電力オフセットが、ダウンリンクＴＰＣコマンドを含むフィールドに現在使用されているかが移動局１００に伝えられないことである。図６を参照すると、ダウンリンクＴＰＣコマンドは、図８でＤａｔａ１およびＤａｔａ２の符号が付いたダウンリンク専用物理データ・チャネル（ＤＰＤＣＨ―Dedicated Physical Data Channel―）に対して電力オフセットＰＯ２で送信される。その他のダウンリンク制御フィールド、すなわち、ＰｉｌｏｔおよびＴＦＣＩ（Transport Format Combination Indicator）は、ＤＰＤＣＨに対してそれぞれ電力オフセットＰＯ３およびＰＯ１で送信される。ＰＯ１、ＰＯ２、およびＰＯ３はそれぞれ、０．２５ｄＢインクリメントで０ｄＢと＋６ｄＢの間のいずれかの値をとることがあり、接続中に変化することがある。しかし、移動局１００にはＰＯ３だけしか信号伝達されない。このことは、移動局が信頼性しきい値を適した位置に配置できることを制限する。
【００３５】
本発明の一実施形態では、信頼性しきい値は
【数１】
2007520908.tif 000003
として決定され、
上式で、
ｒｉ’は、アクティブ・セット中のｉ番目の基地局２００に対する信頼性しきい値の大きさである。
ｄｉは、ｉ番目の基地局２００からのデータ・ビットの予想受信振幅であり、例えば、測定されたパイロット振幅から電力オフセットＰＯ３を引いて導出することができる。
ｓは、受信されたＴＰＣコマンドに対するＳＩＲの逆数の関数であり、
【数２】
2007520908.tif 000004
または
【数３】
2007520908.tif 000005
である。
ｃは任意の定数である。
ｔは、信頼性しきい値の最小の大きさを表す定数である。
【００３６】
式（１）の分母にｃがあることにより、信頼性しきい値の大きさが常に０または負になるのが防止される。信号電圧、雑音電力、および／またはＳＩＲは、例えばＴＰＣフィールド、Ｐｉｌｏｔフィールド、および／またはＤａｔａフィールドの受信振幅から、測定手段１５５によって推定される。
【００３７】
このような実施形態の効率について、様々な尺度を使用することができる。このような尺度の１つは、アクティブ・セット中の様々な基地局２００によって受信された信号の選択合成後、得られるアップリンクＥｂ／Ｎ０の標準偏差である。別のこのような尺度は、ビット誤り率（ＢＥＲ）などのターゲット・サービス品質（ＱｏＳ）を提供するために選択合成後に必要とされるアップリンクＥｂ／Ｎ０である。
【００３８】
図９および１０に、本発明が幅広い状況で非常に効果的であることを示す。図９は、ＰＣＥＲ＝４％のとき、適応可能な信頼性しきい値が、低い静的信頼性しきい値と同程度の性能（ＳＩＲ標準偏差の点から見て）を提供することができることを示している。図１０は、ＰＣＥＲがずっと悪いとき（２５％）、同じ適応可能なしきい値定式が、高い静的信頼性しきい値と同程度の性能を適用することを示している。
【００３９】
信頼性しきい値を調節する代わりに、制御手段１５０は、調節可能なスケール係数で受信信号をスケールしてもよい。任意選択で、調節の組合せを使用してもよい。
【００４０】
本発明の実施形態を、例えばＵＭＴＳで使用されるスペクトル拡散符号分割多重アクセス（ＣＤＭＡ―Code Division Multiple Access―）技法を用いて述べた。しかし、本発明はＣＤＭＡシステムでの使用に限定されない。同様に、本発明の実施形態を、周波数分割複信を仮定して述べたが、本発明はこのようなシステムでの使用に限定されない。本発明は、他の複信方法、例えば時分割複信にも適用することができる。
【００４１】
基地局１００の機能は、通信ネットワークの様々な固定部分にわたって分散していてもよい。したがって本明細書では、用語「基地局」の使用は、通信ネットワークの、本発明の一実施形態に関連する各部分を含むものと理解されたい。
【００４２】
本開示を読めば、当業者には他の修正も明らかであろう。そのような修正は、無線通信システムおよびそのコンポーネント部分ですでに知られている他の特徴であって、本明細書ですでに述べた特徴の代用または追加として使用できる他の特徴を含んでいてもよい。
【００４３】
本明細書および特許請求の範囲において、要素に先行する単語「a」または「an」は、そのような要素が複数存在することを除外しない。また「含む、備える（comprising）」の単語は、列挙された以外の要素またはステップが存在することを除外しない。
【図面の簡単な説明】
【００４４】
【図１】無線通信システムのブロック概略図である。
【図２】ＵＭＴＳのソフト・ハンドオーバにおいて電力制御コマンドを組み合わせるための基本的な要件を示すフローチャートである。
【図３】移動局が基地局から受信したＴＰＣコマンドの処理に対して固定信頼性しきい値０．２５を使用し、電力制御誤り率（ＰＣＥＲ）（上記で定義した）が０．２０のとき、ソフト・ハンドオーバにおいて移動局から３つの基地局に送信された電力制御された信号の受信信号対雑音比であって、３つの異なる基地局によって受信された信号が選択合成された後の受信信号対雑音比の、時間に伴う変動を示すグラフである。
【図４】ＰＣＥＲが０．２５であることを除いて図３に対応する図である。
【図５】ＰＣＥＲが０．３０であることを除いて図３に対応する図である。
【図６】基地局からのダウンリンク送信における種々のフィールド間の電力オフセットを示す図である。
【図７】固定しきい値０．７およびＰＣＥＲ０．２５を使用した、選択合成後の、時間に伴う信号対雑音比の変動を示すグラフである。
【図８】固定しきい値０．７およびＰＣＥＲ０．３０を使用した、選択合成後の、時間に伴う信号対雑音比の変動を示すグラフである。
【図９】ＰＣＥＲ＝４％の場合の、適応可能な信頼性しきい値を使用したときの性能を示すグラフである。
【図１０】ＰＣＥＲ＝２５％の場合の、適応可能な信頼性しきい値を使用したときの性能を示すグラフである。
【図１】
2007520908.tif 000006
【図２】
2007520908.tif 000007
【図３】
2007520908.tif 000008
【図４】
2007520908.tif 000009
【図５】
2007520908.tif 000010
【図６】
2007520908.tif 000011
【図７】
2007520908.tif 000012
【図８】
2007520908.tif 000013
【図９】
2007520908.tif 000014
【図１０】
2007520908.tif 000015
【国際調査報告】
2007520908.tif 000016
2007520908.tif 000017
2007520908.tif 000018